(57)【要約】【課題】データ送信の際の操作を簡略化すること。【解決手段】画像処理装置１０１は、複数の異なる通信プロトコルに対応して設けられ、前記通信プロトコルにより所定の送信先にデータを送信する複数の送信手段と、ユーザ情報を、ネットワークに接続された情報管理サーバから受信する受信手段と、前記受信手段によって受信したユーザ情報と、送信データに関する送信設定情報と、所定の初期値に関する初期設定情報と、を記憶する記憶手段と、前記ユーザ情報と前記送信設定情報と前記初期設定情報とに基づいて、前記複数の送信手段のうち、送信に用いる送信手段を決定する送信判断手段と、を備え、前記送信判断手段により決定された送信手段によって前記送信先に前記データを送信する。【選択図】図１
2010245696.tif 000002
【特許請求の範囲】
【請求項１】
複数の異なる通信プロトコルに対応して設けられ、前記通信プロトコルにより所定の送信先にデータを送信する複数の送信手段と、
ユーザ情報を、ネットワークに接続された情報管理サーバから受信する受信手段と、
前記受信手段によって受信したユーザ情報と、送信データに関する送信設定情報と、所定の初期値に関する初期設定情報と、を記憶する記憶手段と、
前記ユーザ情報と前記送信設定情報と前記初期設定情報とに基づいて、前記複数の送信手段のうち、送信に用いる送信手段を決定する送信判断手段と、を備え、
前記送信判断手段により決定された送信手段によって前記送信先に前記データを送信することを特徴とする画像処理装置。
【請求項２】
前記送信手段は、ファクシミリ送信を行うファクシミリ送信手段と、ファイル転送を行うファイル転送手段と、ＳＭＢ送信と、ＳＭＴＰ送信と、を備えたことを特徴とする請求項１に記載の画像処理装置。
【請求項３】
前記ユーザ情報は、メールアドレスと、電話番号と、ＦＡＸ番号と、ＦＴＰアドレスと、ＳＭＢアドレスと、を含むことを特徴とする請求項２に記載の画像処理装置。
【請求項４】
前記送信設定情報は、前記データのサイズと、指定された宛先数と、進展または緊急を含む送信パラメータとを含むことを特徴とする請求項３に記載の画像処理装置。
【請求項５】
前記初期設定情報は、基本優先条件と、優先順位情報と、を含むことを特徴とする請求項３に記載の画像処理装置。
【請求項６】
前記送信判断手段は、前記基本優先条件の順番に前記送信手段を決定すること
を特徴とする請求項１乃至５のいずれか１つに記載の画像処理装置。
【請求項７】
前記基本優先条件のユーザによる設定を受け付ける設定手段をさらに備えたこと
を特徴とする請求項１乃至６のいずれか１つに記載の画像処理装置。
【請求項８】
画像処理装置で実行される送信方法であって、
前記画像処理装置は、複数の異なる通信プロトコルに対応して設けられ、前記通信プロトコルにより所定の送信先にデータを送信する複数の送信手段と、ユーザ情報と、送信データに関する送信設定情報と、所定の初期値に関する初期設定情報と、を記憶する記憶手段と、を備え、
受信手段が、ユーザ情報を、ネットワークに接続された情報管理サーバから受信する受信ステップと、
送信判断手段が、前記ユーザ情報と前記送信設定情報と前記初期設定情報とに基づいて、前記複数の送信手段のうち、送信に用いる送信手段を決定する送信判断ステップと、
送信処理手段が、前記送信判断ステップにより決定された送信手段によって前記送信先に前記データを送信する送信処理ステップと、
を含むことを特徴とする送信方法。
【請求項９】
コンピュータを、
複数の異なる通信プロトコルに対応して設けられ、前記通信プロトコルにより所定の送信先にデータを送信する複数の送信手段と、
ユーザ情報を、ネットワークに接続された情報管理サーバから受信する受信手段と、
前記受信手段によって受信したユーザ情報と、送信データに関する送信設定情報と、所定の初期値に関する初期設定情報と、を記憶する記憶手段と、
前記ユーザ情報と前記送信設定情報と前記初期設定情報とに基づいて、前記複数の送信手段のうち、送信に用いる送信手段を決定する送信判断手段と、して機能させ、
前記送信判断手段により決定された送信手段によって前記送信先に前記データを送信することを特徴とするプログラム。
【発明の詳細な説明】
【技術分野】
【０００１】
本発明は、データの送信が可能な画像処理装置、画像処理方法およびプログラムに関するものである。
【背景技術】
【０００２】
従来、コピー、プリンタ、スキャナ、ファクシミリなどの複数の機能を有する画像処理装置において、最初に所望の機能を選択することで送信機能を決定し、次に宛先を選択することで送信手段を決定するという２つの操作により、画像やファイルを電話回線やネットワークを介して、メール送信やＦＡＸ送信などの送信機能を実現する技術が一般的に知られている。ここで、宛先には、メールアドレスやＦＡＸ番号など複数種類の宛先があるのが通常である。
【０００３】
このような従来の画像処理装置としては、送信先宛名、メールアドレス、ＦＡＸ番号などのユーザ情報を管理する機能を有し、これらのユーザ情報を情報管理サーバから取得して管理しているものがある（例えば、特許文献１参照）。このような画像処理装置では、まず、機能を選択した後に、送信先宛名、メールアドレス、ＦＡＸ番号などのユーザ情報を指定して送信対象のデータを送信すると考えられる。
【０００４】
また、従来の画像処理装置では、情報管理サーバを利用して、ファイルを送信する際に、最初に所望の機能を選択することで送信機能を決定し、次に情報管理サーバを利用して宛先を取得し、所望の宛先を選択することで、利便性を向上させている（例えば、特許文献２参照）。
【先行技術文献】
【特許文献】
【０００５】
【特許文献１】特開２００４−２７４５０５号公報
【特許文献２】特開２００６−３２５０２１号公報
【発明の概要】
【発明が解決しようとする課題】
【０００６】
しかしながら、このような従来技術では、送信機能の決定と、その後の宛先の選択という２段階の操作が必要になり、利用者にとって操作の手間がかかり、利用者の利便性が悪化するという問題がある。
【０００７】
例えば、利用者がメール送信を行うときは、スキャナ機能を選択した後で、メールアドレスを選択する必要がある。また、利用者がＦＡＸ送信を行うときは、ファクシミリ機能を選択した後で、ＦＡＸ番号を選択する必要があり、利用者は２段階の操作を行わなければならず、操作が繁雑となる。
【０００８】
本発明は、上記に鑑みてなされたものであって、データ送信の際の操作を簡略化することができる画像処理装置、送信方法およびプログラムを提供することを目的とする。
【課題を解決するための手段】
【０００９】
本発明にかかる画像処理装置は、複数の異なる通信プロトコルに対応して設けられ、前記通信プロトコルにより所定の送信先にデータを送信する複数の送信手段と、ユーザ情報を、ネットワークに接続された情報管理サーバから受信する受信手段と、前記受信手段によって受信したユーザ情報と、送信データに関する送信設定情報と、所定の初期値に関する初期設定情報と、を記憶する記憶手段と、前記ユーザ情報と前記送信設定情報と前記初期設定情報とに基づいて、前記複数の送信手段のうち、送信に用いる送信手段を決定する送信判断手段と、を備え、前記送信判断手段により決定された送信手段によって前記送信先に前記データを送信することを特徴とする。
【発明の効果】
【００１０】
本発明によれば、最初に、情報管理サーバからユーザ情報データを参照して送信先宛名を選択し、判断基準情報を参照して送信手段を判断することにより、画像やファイルを送信する操作を、送信先宛名を選択するという１つの操作で行うことを可能にする。よって、画像を送信する操作の手間を省くという効果を奏する。
【図面の簡単な説明】
【００１１】
【図１】図１は、本実施の形態にかかる画像処理システムのネットワーク構成図である。
【図２】図２は、本実施の形態にかかる画像処理装置の内部構成を説明する機能ブロック図である。
【図３】図３は、送信方法を判断する際に利用する、優先条件の一例を示す説明図である。
【図４】図４は、送信方法を判断する際に利用する、基本優先順位の一例を示す説明図である。
【図５】図５は、送信方法を判断する際に利用する、親展設定優先順位の一例を示す説明図である。
【図６】図６は、送信方法を判断する際に利用する、緊急設定優先順位の一例を示す説明図である。
【図７】図７は、送信方法を判断する際に利用する、読取モード設定優先順位の一例を示す説明図である。
【図８】図８は、送信方法を判断する際に利用する、宛先数優先順位の一例を示す説明図である。
【図９】図９は、送信方法を判断する際に利用する、データサイズ優先順位の一例を示す説明図である。
【図１０】図１０は、ＬＤＡＰサーバから取得したユーザ情報の一例を示す図である。
【図１１】図１１は、操作部パネルが液晶表示部に表示した初期設定変更画面例を示す図である。
【図１２】図１２は、画像処理装置１０１における画像送信の処理手順を示したフローチャートである。
【図１３】図１３は、操作部パネルが液晶表示部に表示した機能選択画面例を示す図である。
【図１４】図１４は、操作部パネルが液晶表示部に表示した送信先宛名選択画面例を示す図である。
【図１５】図１５は、操作部パネルが液晶表示部に表示した送信先宛名選択画面例を示す図である。
【図１６】図１６は、操作部パネルが液晶表示部に表示した送信設定画面例を示す図である。
【図１７】図１７は、操作部パネルが液晶表示部に表示した送信方法変更画面例を示す図である。
【図１８】図１８は、画像処理装置の送信方法判断部２０６における送信方法の判断手順を示したフローチャートである。
【図１９】図１９は、複合機のハードウェア構成を示すブロック図である。
【発明を実施するための形態】
【００１２】
以下に添付図面を参照して、この発明にかかる画像処理装置、画像処理方法、画像処理プログラム、コンピュータ読み取り可能な記憶媒体の最良な実施の形態を詳細に説明する。なお、以下に示す実施の形態では、本発明の画像処理装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像処理装置であればいずれにも適用することができる。
【００１３】
図１は、本発明の本実施の形態にかかる画像処理システムのネットワーク構成図である。本実施の形態においては、画像処理装置１０１が、公衆回線網１０２を介してファクシミリ装置１０３と接続されている。また、画像処理装置１０１は、ネットワーク１０４を介してＬＤＡＰサーバ１０５と、ＦＴＰサーバ１０６と、ＳＭＢサーバ１０７と、ＳＭＴＰサーバ１０８と接続されている。
【００１４】
ここで、画像処理装置１０１は、コピー、プリンタ、スキャナ、ファクシミリなどの複数の機能を有する、画像の送信が可能な装置である。公衆回線網１０２は、拠点間を結ぶ通信回線において、不特定多数の利用者によって共有して利用される電話回線網である。ファクシミリ装置１０３は、紙媒体における文書や画像を電話回線によって遠隔地まで送信する装置である。ネットワーク１０４は、例えばインターネット等の拠点間を結ぶ通信回線において、不特定多数の利用者によって情報をお互いに共有して利用される情報網である。ＬＤＡＰサーバ１０５は、ＬＤＡＰ（Lightweight Directory Access Protocol）プロトコルを利用して、ネットワークを利用するユーザのメールアドレスや環境に関する情報を管理するディレクトリサービスにアクセスする情報管理サーバである。ＦＴＰサーバ１０６は、ＦＴＰ（File Transfer Protocol）プロトコルを利用して、ファイルの送受信を行なうサーバである。ＳＭＢサーバ１０７は、ＳＭＢ（Server Message Block）プロトコルを利用して、ファイル共有やプリンタ共有を実現するサーバである。ＳＭＴＰサーバ１０８は、ＳＭＴＰ（Simple Mail Transfer Protocol）プロトコルを利用して、インターネットやイントラネットで電子メールを送信するサーバである。
【００１５】
図２は、画像処理装置１０１の内部構成を説明する機能ブロック図である。画像処理装置１０１は、操作パネル部２０１と、ユーザ情報受信部２０２と、送信画像管理部２０３と、送信先宛名指定管理部２０４と、送信条件設定管理部２０５と、送信方法判断部２０６と、初期設定管理部２０７と、送信処理部２０８と、記憶部２１６と、送信エラー処理部２１７と、通信Ｉ／Ｆ２１８とを備えている。
【００１６】
記憶部２１６は、ユーザ情報データベース２１３と、送信設定情報データベース２１４と、初期設定データベース２１５とを記憶する、ＨＤＤ（Hard Disk Drive）やメモリ等の記憶媒体である。
【００１７】
ユーザ情報データベース２１３は、ユーザのメールアドレスや環境に関する情報等の、情報管理サーバで利用されるユーザ情報を格納するデータベースである。また、ユーザ情報データベース２１３は、所望の画像を送信する際に、利用者によって更新される。
【００１８】
ここで、ユーザ情報データベース２１３は、送信先宛名と、メールアドレスと、ＦＡＸ番号と、ＦＴＰアドレスと、ＳＭＢアドレスを保持する。送信先宛名とは、画像を送信する際に指定する宛名である。メールアドレスと、ＦＡＸ番号と、ＦＴＰアドレスと、ＳＭＢアドレスは、送信先宛名に対応付けられている。つまり、メールアドレスとは、送信先宛名のメールアドレスである。また、ＦＡＸ番号は、送信先宛名のＦＡＸ番号である。また、ＦＴＰアドレスは、送信先宛名のＦＴＰアドレスである。また、ＳＭＢアドレスは、送信先宛名のＳＭＢアドレスである。
【００１９】
送信設定情報データベース２１４は、所望の画像を送信する際に、利用者によって設定される情報のデータベースであり、データサイズと、宛先数と、親展と、緊急と、読取モードとを保持する。データサイズとは、送信画像のデータサイズである。また、宛先数とは、指定した送信先宛名の数である。また、親展とは、セキュリティを高めて送信する設定のことであり、ＦＡＸ送信の場合は、Ｆコードを用いて送信される。また、メール送信や、ＳＭＢ送信や、ＦＴＰ送信の場合は、送信画像が暗号化して送信される。具体的には、送信画像が暗号化ＰＤＦなどのファイル形式で送信される。また、緊急とは、通常の送信よりも急を要する場合の設定のことであり、複数の送信方法が決定される。また、読取モードとは、画像を読み取る際のカラーモードの種類のことであり、自動や、フルカラーや、グレイスケールや、モノクロなどがある。自動は、自動的に画像を読み取るときのカラーモードが選択される。フルカラーとは、１つの画素について２４ビットまたは３２ビットの色情報を持たせる方式で、通常は赤緑青をそれぞれ２５６階調（８ビット）で混色して表現する。グレイスケールとは、画像を白色から黒色までの明暗のみで表現する方式で、通常は２５６階調で表現する。モノクロとは、画像を白色と黒色の２色のみで表現する方式で、２階調で表現する。
【００２０】
初期設定データベース２１５は、画像処理装置１０１に予め登録されている、画像の送信方法の判断に必要な初期設定データの情報データベースであり、優先条件と、優先順位とを保持する。
【００２１】
ここで、優先条件とは、どのような順番で、どの優先順位を参照するかを示したリストである。図３は、優先条件の一例を示す説明図である。この優先条件には、図３に示すように、送信設定情報データベース２１４のデータサイズと、宛先数と、親展と、緊急と、読取モードが示されている。
【００２２】
ここで、優先順位とは、送信方法を決定するための、メール送信や、ＳＭＢ送信や、ＦＴＰ送信や、ＦＡＸ送信などの、送信方法の順番を示したリストである。ここで、優先順位は、基本優先順位と、親展設定優先順位と、緊急設定優先順位と、読取モード設定優先順位と、宛先数優先順位と、データサイズ優先順位を含んでいる。図４は、基本優先順位の一例を示す説明図である。また、図５は、親展設定優先順位の一例を示す説明図である。また、図６は、緊急設定優先順位の一例を示す説明図である。また、図７は、読取モード設定優先順位の一例を示す説明図である。また、図８は、宛先数優先順位の一例を示す説明図である。ここで、宛先数優先順位には、特定の宛先数閾値が含まれている。また、図９は、データサイズ優先順位の一例を示す説明図である。ここで、データサイズ優先順位には、特定のデータサイズ閾値が含まれている。
【００２３】
操作パネル部２０１は、利用者からの入力操作を受け付けると共に、利用者に向けた表示を行う。
【００２４】
ユーザ情報受信部２０２は、情報管理サーバであるＬＤＡＰサーバ１０５からネットワーク１０４を介し、通信Ｉ／Ｆ２１８を通して、ユーザ情報の名前と、それに対応付けられているメールアドレスと、ＦＡＸ番号と、ＦＴＰアドレスと、ＳＭＢアドレスを受信する。
【００２５】
図１０は、ユーザ情報の一例を示す図であり、名前と、メールアドレスと、ＦＡＸ番号と、ＦＴＰアドレスと、ＳＭＢアドレスとが含まれている。ここで、メールアドレスと、ＦＡＸ番号と、ＦＴＰアドレスと、ＳＭＢアドレスは、名前に対応付けられている。よって、ユーザ情報の名前と、メールアドレスと、ＦＡＸ番号と、ＦＴＰアドレスと、ＳＭＢアドレスは、それぞれユーザ情報データベース２１３の送信先宛名と、メールアドレスと、ＦＡＸ番号と、ＦＴＰアドレスと、ＳＭＢアドレスに格納される。
【００２６】
送信画像管理部２０３は、送信に使用する画像を管理するものであり、画像データサイズを送信設定情報データベース２１４のデータサイズに格納する。
【００２７】
送信先宛名指定管理部２０４は、複数の宛名を指定するものであり、宛先数を送信設定情報データベース２１４の宛先数に格納する。
【００２８】
送信条件設定管理部２０５は、画像の送信条件を設定するものである。送信条件とは、親展と、緊急と、読取モードとを含んでいる。
【００２９】
送信方法判断部２０６は、利用者によって設定された送信設定情報データベース２１４の送信設定情報と、ユーザ情報データベース２１３のユーザ情報を元に、予め設定されている初期設定データベース２１５の優先条件と優先順位を参照して、ＦＡＸ送信や、ＦＴＰ送信や、ＳＭＢ送信や、メール送信の中から、送信方法を決定する。
【００３０】
具体的な判断の手順は、例えば図３の優先条件の１番目の「親展」が設定されているかを判断し、設定されていれば、優先順位の１つである図５の親展設定優先順位の１番目の「ＦＡＸ送信」を参照する。そして、予め受信したユーザ情報にＦＡＸ番号が存在する場合、送信方法として「ＦＡＸ送信」が決定される。
【００３１】
この時、ＦＡＸ番号が存在しない場合、進展設定優先順位の２番目の「メール送信」を参照して、同様に送信方法が判断される。
【００３２】
また、優先条件の１番目の「親展」が設定されていない場合、２番目の「緊急」が設定されているかを判断し、設定されていれば、図６の緊急設定優先順位を参照して、同様に送信方法が判断される。
【００３３】
そして、送信方法がＦＡＸ送信の場合、ＦＡＸ送信部２０９に画像を送信する。また、送信方法がＦＴＰ送信の場合、ＦＴＰ送信部２１０に画像を送信する。また、送信方法がＳＭＢ送信の場合、ＳＭＢ送信部２１１に画像を送信する。また、送信方法がメール送信部の場合、メール送信部２１２に画像を送信する。
【００３４】
送信処理部２０８は、決められた送信方法により、送信処理を行うものであり、ＦＡＸ送信部２０９と、ＦＴＰ送信部２１０と、ＳＭＢ送信部２１１と、メール送信部２１２とを備えている。
【００３５】
送信方法判断部２０６によりＦＡＸ送信が決定されて、画像がＦＡＸ送信部２０９に送信された場合、ＦＡＸ送信部２０９からＧ３規格でファクシミリ装置に画像を送信する。
【００３６】
また、送信方法判断部２０６によりＦＴＰ送信が決定されて、画像がＦＴＰ送信部２１０に送信された場合、ＦＴＰ送信部２１０は、ＦＴＰプロトコルを利用して、ＦＴＰサーバに画像を送信する。
【００３７】
また、送信方法判断部２０６によりＳＭＢ送信が決定されて、画像がＳＭＢ送信部２１１に送信された場合、ＳＭＢ送信部２１１は、ＳＭＢプロトコルを利用して、ＳＭＢサーバに画像を送信する。
【００３８】
また、送信方法判断部２０６によりＳＭＴＰ送信が決定されて、画像がメール送信部２１２に送信された場合、メール送信部２１２は、ＳＭＴＰプロトコルを利用して、ＳＭＴＰサーバに画像を送信する。
【００３９】
初期設定管理部２０７は、初期設定データベース２１５の優先条件や優先順位などの、予め登録されている画像の送信方法の判断に必要な初期設定データを管理する。さらに、初期設定管理部２０７は、必要に応じて優先条件や優先順位の変更を行うことができる。
【００４０】
例えば、上述した優先条件の初期設定を変更する手順を、実際の表示画面の一例を用いて説明する。図１１は、初期設定管理部２０７が、初期設定データである優先条件の変更を行う際に操作パネル部２０１の液晶表示部に表示する画面の一例を示す。初期設定変更画面１１０には、上へボタン１１１と、下へボタン１１２と、優先条件フィールド１１３と、確定ボタン１１４と、戻るボタン１１５とを表示する。
【００４１】
初期設定変更画面１１０の優先条件フィールド１１３には、優先条件が示されている。例えば、この場合は「緊急」が選択されている。ここで、初期設定管理部２０７は、利用者の上へボタン１１１の押下による入力を受けて、優先条件の２番目の条件である「緊急」と、１番目の条件である「親展」を交換する変更を行う。これにより、優先条件の順番を変更する。
【００４２】
初期設定管理部２０７は、利用者の同様の入力を受けて、基本優先順位と、親展設定優先順位と、緊急設定優先順位と、読取モード設定優先順位と、宛先数優先順位と、データサイズ優先順位の順番を変更する。宛先数優先順位に含まれている宛先数閾値や、データサイズ優先順位に含まれているデータサイズ閾値も、同様に変更する。
【００４３】
送信エラー処理部２１７は、画像の送信において送信エラーが発生した場合、送信エラーの処理を行うものである。
【００４４】
通信Ｉ／Ｆ２１８は、外部装置との通信を制御する。
【００４５】
次に、以上のように構成された本実施の形態にかかる画像処理装置１０１における画像の送信先宛名を選択し、それにより送信方法を決定し、送信先に画像を送信するまでの全体の処理について説明する。図１２は、本実施の形態にかかる画像処理装置１０１における上述した処理の手順を示すフローチャートである。
【００４６】
まず、送信画像管理部２０３が、送信する画像を選択する（ステップＳ５０１）。この際、送信画像管理部２０３は、選択した送信画像のデータサイズを、送信設定情報データベース２１４のデータサイズに格納する。
【００４７】
ここで、利用者の行う手順を、実際の表示画面の一例を用いて説明する。図１３は、利用者が機能を選択する際に利用される機能選択画面例を示す図である。機能選択画面１３０には、コピーボタン１３１と、画像送信ボタン１３２とが表示されている。
【００４８】
まず、利用者が送信したい画像を選択した後で、機能選択画面１３０の画像送信ボタン１３２を押下することで、画面が送信先宛名選択画面１４０のように表示される。この時に、画像のデータサイズが、送信設定情報データベース２１４のデータサイズに格納される。
【００４９】
図１２に戻り、次に、ユーザ情報受信部２０２は、所望のユーザ情報を取得するためにＬＤＡＰサーバ１０５からネットワーク１０４を介して、通信Ｉ／Ｆ２１８を通して、ユーザ情報を受信する（ステップＳ５０２）。この際、まずユーザ情報の名前を検索する。そして、検索された複数の名前と、それに対応付けられているメールアドレスと、ＦＡＸ番号と、ＦＴＰアドレスと、ＳＭＢアドレスを受信して、ユーザ情報データベース２１３の送信先宛名と、メールアドレスと、ＦＡＸ番号と、ＦＴＰアドレスと、ＳＭＢアドレスを、ユーザ情報データベース２１３のメールアドレスと、ＦＡＸ番号と、ＦＴＰアドレスと、ＳＭＢアドレスにそれぞれ格納する。
【００５０】
次に、送信先宛名指定管理部２０４が、受信したユーザ情報の名前から、所望の送信先の宛名を選択する（ステップＳ５０３）。この際、選択されていない宛名と、それに対応するメールアドレスと、ＦＡＸ番号と、ＦＴＰアドレスと、ＳＭＢアドレスとが、ユーザ情報データベース２１３の送信先宛名と、それに対応するメールアドレスと、ＦＡＸ番号と、ＦＴＰアドレスと、ＳＭＢアドレスに格納されているので、このユーザ情報を消去する。次に、選択した送信先宛名の数を、送信設定情報データベース２１４の宛先数に格納する。
【００５１】
ここで、利用者が、画像を送信する送信先宛名を決定するまでの手順を、実際の表示画面の一例を用いて説明する。図１４と図１５は、利用者が名前を検索して、その検索結果から所望の送信先宛名を選択する際に利用される、送信先宛名選択画面例を示す図である。送信先宛名選択画面１４０には、名前フィールド１４１と、詳細条件ボタン１４２と、検索実行ボタン１４３と、検索結果フィールド１４４と、決定ボタン１４５と、戻るボタン１４６とが表示されている。送信先宛名選択画面１５０には、名前フィールド１５１と、詳細条件ボタン１５２と、検索実行ボタン１５３と、検索結果フィールド１５４と、決定ボタン１５５と、戻るボタン１５６とが表示されている。
【００５２】
次に、送信先宛名選択画面１４０の名前フィールド１４１に、検索する文字列を入力して、検索実行ボタン１４３を押下する。これにより、検索結果が検索結果フィールド１４４に表示される。そして、例えば検索結果フィールドに表示されている「鈴木二郎」と「鈴木三郎」を選択した場合は、画面が送信先宛名選択画面１５０のように表示される。そして、決定ボタン１５５を押下することで、送信先宛名が決定される。
【００５３】
図１２に戻り、次に、送信条件設定管理部２０５が、送信条件である親展と、緊急と、読取モードを設定する（ステップＳ５０４）。その際、設定した情報を、送信設定情報データベース２１４の親展と、緊急と、読取モードに格納する。
【００５４】
そして、送信方法判断部２０６は、送信設定情報データベース２１４の送信設定情報と、ユーザ情報データベース２１３のユーザ情報を元に、ＦＡＸ送信や、ＦＴＰ送信や、ＳＭＢ送信や、メール送信の中から、優先順位の高い送信方法を判断する（ステップＳ５０５）。送信方法判断部２０６が所望の送信方法を判断する処理の詳細については、後述する。
【００５５】
図１２に戻り、そして、送信方法判断部２０６は、送信方法を正常に判断できたか否か確認する（ステップＳ５０６）。
【００５６】
ここで、ユーザ情報データベース２１３の名前に対応したメールアドレスと、ＦＡＸ番号と、ＦＴＰアドレスと、ＳＭＢアドレスのいずれも存在せず、送信方法判断部２０６が、送信方法を正常に判断できなかった場合（ステップＳ５０６：Ｎｏ）は、送信エラー処理部２１７が、画像送信のエラー処理を行う（ステップＳ５０７）。
【００５７】
次に、送信方法判断部２０６が送信方法を正常に判断できた場合（ステップＳ５０６：Ｙｅｓ）は、送信方法判断部２０６が、判断された送信方法を行う送信部に画像を送信する。そして、送信処理部５０８が、画像を、判断された送信部から送信する（ステップＳ５０８）。
【００５８】
ここで、送信方法がＦＡＸ送信の場合は、ＦＡＸ送信部２０９が、送信方法判断部２０６から画像を受信し、通信Ｉ／Ｆ２１８を通して、公衆回線網１０２を介してファクシミリ装置１０３に送信する。
【００５９】
ここで、送信方法がＦＴＰ送信の場合は、ＦＴＰ送信部２１０が、送信方法判断部２０６から画像を受信し、通信Ｉ／Ｆ２１８を通して、ネットワーク１０４を介してＦＴＰサーバ１０６に送信する。
【００６０】
ここで、送信方法がＳＭＢ送信の場合は、ＳＭＢ送信部２１１が、送信方法判断部２０６から画像を受信し、通信Ｉ／Ｆ２１８を通して、ネットワーク１０４を介してＳＭＢサーバ１０７に送信する。
【００６１】
ここで、送信方法がメール送信の場合は、ＳＭＴＰ送信部２１２が、送信方法判断部２０６から画像を受信し、通信Ｉ／Ｆ２１８を通して、ネットワーク１０４を介してＳＭＴＰサーバ１０８に送信する。
【００６２】
そして、送信処理部２０８は、画像の送信結果が正常に終了したか否かを、送信方法判断部２０６に通知する。
【００６３】
ここで、利用者が、まず送信設定情報を設定し、次に送信設定情報とユーザ情報から送信方法が判断され、判断された送信部から画像を送信するまでの手順を、実際の表示画面の一例を用いて説明する。図１６は、利用者が送信設定を行う際に利用される、送信設定画面例を示す図である。送信設定画面１６０には、送信先宛名フィールド１６１と、詳細ボタン１６２と、読取モードフィールド１６３と、モード設定ボタン１６４と、親展チェックボックス１６５と、緊急チェックボックス１６６と、送信実行ボタン１６７と、戻るボタン１６８とが表示されている。
【００６４】
まず、決定ボタン１５５を押下して送信先宛名を決定すると、画面が送信設定画面１６０のように表示される。まず、利用者は送信先宛名フィールド１６１に表示される送信先宛名を確認する。次に、親展チェックボックス１６５を選択することにより、親展送信の設定をすることができる。また、緊急チェックボックス１６６を選択することにより、緊急送信の設定をすることができる。次に、読取モードを変更したい場合、モード設定ボタン１６４を押下することで、自動に設定されている読取モードを、フルカラーや、グレイスケールや、モノクロに変更することができる。このように、親展、緊急、読取モードを変更することにより、送信方法が判断される。そして、送信実行ボタン１６７を押下することで、画像を判断された送信部から送信する。
【００６５】
なお、それぞれの送信先宛名に対して決定された送信方法を、利用者が任意の送信方法に変更することもできる。
【００６６】
利用者が、送信先宛名に対して決定された送信方法を、任意の送信方法に変更するまでの手順を、実際の表示画面の一例を用いて説明する。図１７は、利用者が送信方法の変更を行う際に利用される、送信方法変更画面例を示す図である。送信方法変更画面１７０には、送信先宛名フィールド１７１と、左送りボタン１７２と、右送りボタン１７３と、送信方法フィールド１７４と、確定ボタン１７５と、戻るボタン１７６とが表示されている。
【００６７】
送信設定画面１６０において、送信設定を終えた後、詳細ボタン１６２を押下することで、画面が送信方法変更画面１７０のように表示される。そして、左ボタン１７２と右ボタン１７３を押すことで、送信方法を変更したい送信先宛名を選択する。すると、選択した送信先宛名の決定された送信方法が、送信方法フィールド１７４に表示される。例えば、選択した送信先宛名の「鈴木二郎」の送信方法が「ＳＭＢ送信」に選択されている。ここで、送信方法フィールド１７４の例えば「メール送信」や「ＦＴＰ送信」等の他の送信方法を選択し、確定ボタン１７５を押下することで、送信方法を変更することができる。
【００６８】
図１２に戻り、次に、送信方法判断部２０６は、送信処理部２０８からの送信結果を受信して、正常に送信が行われたか否か判断する（ステップＳ５０９）。正常に送信が行われたと判断した場合は、特に処理を行わずに終了する（ステップＳ５０９：Ｙｅｓ）。
【００６９】
また、送信方法判断部２０６が、送信処理部２０８からの送信結果を受信して、正常に送信が行われなかったと判断した場合（ステップＳ５０９：Ｎｏ）、送信設定情報データベース２１４に格納されている送信設定情報と、ユーザ情報データベース２１３に格納されているユーザ情報とを参照して、送信方法判断部２０６が、ステップＳ５０５で判断された送信方法の次に優先順位の高い送信方法を判断する（ステップＳ５１０）。
【００７０】
上述した処理手順により、画像処理装置１０１における受信したユーザ情報と、送信条件の設定により、送信方法を判断し、送信先に画像を送信することが可能となる。なお、上述した手順は、本実施の形態にかかる画像処理装置１０１におけるユーザ情報と、送信条件により、送信方法を判断し、送信先に画像を送信する処理手順の例を示したものであり、本発明をこの処理手順に制限するものではない。
【００７１】
次に、以上のように構成された本実施の形態にかかる画像処理装置１０１の送信方法判断部２０６における、利用者によって設定された送信設定情報データベース２１４の送信設定情報と、ユーザ情報データベース２１３のユーザ情報を元に、予め設定されている初期設定データベース２１５の優先条件と優先順位を参照して、ＦＡＸ送信や、ＦＴＰ送信や、ＳＭＢ送信や、メール送信の中から、送信方法を判断するまでの処理について説明する。図１８は、画像処理装置１０１の送信方法判断部２０６における送信方法の判断手順を示したフローチャートである。
【００７２】
まず、送信方法判断部２０６は、図３の優先条件１番目の親展が設定されているか否か判断する（ステップＳ６０１）。送信設定情報データベース２１４の親展を参照して、親展が設定されていると判断した場合（ステップＳ６０１：Ｙｅｓ）、図５の親展設定優先順位による判断を行う（ステップＳ６０２）。
【００７３】
ここで、ステップＳ６０２の手順の詳細について説明する。予め複数の送信先宛名と、その送信先宛名に対応したメールアドレスと、ＦＡＸ番号と、ＦＴＰアドレスと、ＳＭＢアドレスは、ユーザ情報データベース２１３に格納されている。まず、親展設定優先順位の１番目はＦＡＸ送信なので、指定した送信先宛名に対応するユーザ情報データベース２１３のＦＡＸ番号を参照する。ＦＡＸ番号が存在する場合は、送信方法としてＦＡＸ送信が決定される。
【００７４】
また、ＦＡＸ番号が存在しない場合は、親展設定優先順位の２番目を参照する。親展設定優先順位の２番目はメール送信なので、指定した送信先宛名に対応するユーザ情報データベース２１３のメールアドレスを参照する。メールアドレスが存在する場合は、送信方法としてメール送信が決定される。
【００７５】
また、メールアドレスが存在しない場合は、親展設定優先順位の３番目を参照する。親展設定優先順位の３番目はＳＭＢ送信なので、指定した送信先宛名に対応するユーザ情報データベース２１３のＳＭＢアドレスを参照する。ＳＭＢアドレスが存在する場合は、送信方法としてＳＭＢ送信が決定される。
【００７６】
また、ＳＭＢアドレスが存在しない場合は、親展設定優先順位の４番目を参照する。親展設定優先順位の４番目はＦＴＰ送信なので、指定した送信先宛名に対応するユーザ情報データベース２１３のＦＴＰアドレスを参照する。ＦＴＰアドレスが存在する場合は、送信方法としてＦＴＰ送信が決定される。
【００７７】
また、ＦＴＰアドレスが存在しない場合は、指定した送信先宛名に対応する送信方法が存在しないと判断して、送信方法判断部２０６が送信エラー処理部２１７に、エラー処理を通知する。そして、エラー処理部２１７は、画像送信のエラー処理を行う（ステップＳ５０７）。
【００７８】
そして、送信方法判断部２０６が、優先条件１番目の親展が設定されていないと判断した場合（ステップＳ６０１：Ｎｏ）、優先条件２番目の緊急が設定されているか否か判断する（ステップＳ６０３）。送信設定情報データベース２１４の緊急を参照して、緊急が設定されていると判断した場合（ステップＳ６０３：Ｙｅｓ）、緊急設定優先順位による判断を行う（ステップＳ６０４）。ステップＳ６０４の手順も、前記のステップＳ６０２の手順と同様の流れで、送信方法を決定する。
【００７９】
次に、送信方法判断部２０６が、優先条件２番目の緊急が設定されていないと判断した場合（ステップＳ６０３：Ｎｏ）、優先条件３番目の読取モードが変更されているか否か判断する（ステップＳ６０５）。送信設定情報データベース２１４の読取モードを参照して、読取モードが変更されていると判断した場合（ステップＳ６０５：Ｙｅｓ）、読取モード設定優先順位による判断を行う（ステップＳ６０６）。ステップＳ６０６の手順も、前記のステップＳ６０２の手順と同様の流れで、送信方法を決定する。
【００８０】
そして、送信方法判断部２０６が、優先条件３番目の読取モードが設定されていないと判断した場合（ステップＳ６０５：Ｎｏ）、優先条件４番目の宛先数は宛先数閾値の５件以上か否か判断する（ステップＳ６０７）。送信設定情報データベース２１４の宛先数を参照して、宛先数が宛先数閾値の５件以上と判断した場合（ステップＳ６０７：Ｙｅｓ）、宛先数優先順位による判断を行う（ステップＳ６０８）。ステップＳ６０８の手順も、前記のステップＳ６０２の手順と同様の流れで、送信方法を決定する。
【００８１】
次に、送信方法判断部２０６が、優先条件４番目の宛先数は宛先数閾値の５件以上でないと判断した場合（ステップＳ６０７：Ｎｏ）、優先条件５番目のデータサイズはデータサイズ閾値である３ＭＢ以上か否か判断する（ステップＳ６０９）。送信設定情報データベース２１４のデータサイズを参照して、データサイズがデータサイズ閾値の３ＭＢ以上と判断した場合（ステップＳ６０９：Ｙｅｓ）、データサイズ優先順位による判断を行う（ステップＳ６１０）。ステップＳ６１０の手順も、前記のステップＳ６０２の手順と同様の流れで、送信方法を決定する。
【００８２】
そして、送信方法判断部２０６が、優先条件５番目のデータサイズがデータサイズ閾値の３ＭＢ以上でないと判断した場合（ステップＳ６０９：Ｎｏ）、図４の基本優先順位による判断を行う（ステップＳ６１１）。ステップＳ６１１の手順も、前記のステップＳ６０２の手順と同様の流れで、送信方法を決定する。
【００８３】
上述した処理手順により、利用者によって設定された送信設定情報と、ユーザ情報を元に、予め設定されている優先条件と優先順位を参照して、ＦＡＸ送信や、ＦＴＰ送信や、ＳＭＢ送信や、メール送信の中から、送信方法を判断することで、画像を送信する操作を、送信先宛名を選択するという１つの操作で行うことが可能になる。なお上述した手順は、本実施の形態にかかる画像処理装置１０１の送信方法判断部２０６における送信部の判断の処理手順の例を示したものであり、本発明をこの処理手順に制限するものではない。
【００８４】
図１９は、本実施の形態にかかる画像処理装置１０１のハードウェア構成を示すブロック図である。本図に示すように、この画像処理装置１０１は、コントローラ１０とエンジン部（Engine）６０とをＰＣＩ（Peripheral Component Interconnect）バスで接続した構成となる。コントローラ１０は、画像処理装置１０１全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００８５】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂとをさらに有する。
【００８６】
ＣＰＵ１１は、画像処理装置１０１の全体制御をおこなうものであり、ＮＢ１３、ＭＥＭ−Ｐ１２およびＳＢ１４からなるチップセットを有し、このチップセットを介して他の機器と接続される。
【００８７】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００８８】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００８９】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００９０】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。操作表示部２０はＡＳＩＣ１６に直接接続されている。
【００９１】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【００９２】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００９３】
なお、本実施の形態の複合機で実行される画像処理プログラムは、ＲＯＭ等に予め組み込まれて提供される。
【００９４】
本実施の形態の複合機で実行される画像処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００９５】
さらに、本実施の形態の複合機で実行される画像処理プログラムを、インターネット等のネットワークに接続されたコンピュータ上に格納し、ネットワーク経由でダウンロードさせることにより提供するように構成しても良い。また、本実施の形態の複合機で実行される画像処理プログラムをインターネット等のネットワーク経由で提供または配布するように構成しても良い。
【００９６】
本実施の形態の複合機で実行される画像処理プログラムは、上述した各部（操作パネル部、初期設定管理部、送信画像管理部、送信先宛名指定管理部等）を含むモジュール構成となっており、実際のハードウェアとしてはＣＰＵ（プロセッサ）が上記ＲＯＭから画像処理プログラムを読み出して実行することにより上記各部が主記憶装置上にロードされ、上記各部が主記憶装置上に生成されるようになっている。
【００９７】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００９８】
１０  コントローラ
１１  ＣＰＵ
１２  ＭＥＭ−Ｐ
１２ａ  ＲＯＭ
１２ｂ  ＲＡＭ
１３  ＮＢ
１４  ＳＢ
１５  ＡＧＰバス
１６  ＡＳＩＣ
１７  ＭＥＭ−Ｃ
１８  ＨＤＤ
２０  操作表示部
３０  ＦＣＵ
４０  ＵＳＢ
５０  ＩＥＥＥ１３９４インターフェース
６０  エンジン部
１０１  画像処理装置
１０２  公衆回線網
１０３  ファクシミリ装置
１０４  ネットワーク
１０５  ＬＤＡＰサーバ
１０６  ＦＴＰサーバ
１０７  ＳＭＢサーバ
１０８  ＳＭＴＰサーバ
１１０  初期設定変更画面
１１１  上へボタン
１１２  下へボタン
１１３  優先条件フィールド
１１４  確定ボタン
１１５  戻るボタン
１３０  機能選択画面
１３１  コピーボタン
１３２  画像送信ボタン
１４０  送信先宛名選択画面
１４１  名前フィールド
１４２  詳細条件ボタン
１４３  検索実行ボタン
１４４  検索結果フィールド
１４５  決定ボタン
１４６  戻るボタン
１５０  送信先宛名選択画面
１５１  名前フィールド
１５２  詳細条件ボタン
１５３  検索実行ボタン
１５４  検索結果フィールド
１５５  決定ボタン
１５６  戻るボタン
１６０  送信設定画面
１６１  送信先宛名フィールド
１６２  詳細ボタン
１６３  読取モードフィールド
１６４  モード設定ボタン
１６５  親展チェックボックス
１６６  緊急チェックボックス
１６７  送信実行ボタン
１６８  戻るボタン
１７０  送信方法変更画面
１７１  送信先宛名フィールド
１７２  左送りボタン
１７３  右送りボタン
１７４  送信方法フィールド
１７５  確定ボタン
１７６  戻るボタン
２０１  操作パネル部
２０２  ユーザ情報受信部
２０３  送信画像管理部
２０４  送信先宛名指定管理部
２０５  送信条件設定管理部
２０６  送信方法判断部
２０７  初期設定管理部
２０８  送信処理部
２０９  ＦＡＸ送信部
２１０  ＦＴＰ送信部
２１１  ＳＭＢ送信部
２１２  メール送信部
２１３  ユーザ情報データベース
２１４  送信設定情報データベース
２１５  初期設定データベース
２１６  記憶部
２１７  送信エラー処理部
２１８  通信インターフェース
【図１】
2010245696.tif 000003
【図２】
2010245696.tif 000004
【図３】
2010245696.tif 000005
【図４】
2010245696.tif 000006
【図５】
2010245696.tif 000007
【図６】
2010245696.tif 000008
【図７】
2010245696.tif 000009
【図８】
2010245696.tif 000010
【図９】
2010245696.tif 000011
【図１０】
2010245696.tif 000012
【図１１】
2010245696.tif 000013
【図１２】
2010245696.tif 000014
【図１３】
2010245696.tif 000015
【図１４】
2010245696.tif 000016
【図１５】
2010245696.tif 000017
【図１６】
2010245696.tif 000018
【図１７】
2010245696.tif 000019
【図１８】
2010245696.tif 000020
【図１９】
2010245696.tif 000021